(57)【特許請求の範囲】
【請求項１】
通話と電子メールの送信とを行う通信端末であって、
他の通信端末と信号の送受信及び電子メールの送信を行う通信部と、
前記他の通信端末への発呼に対する応答があるか否かを判定する判定部と、
前記発呼に対する応答が無いと前記判定部が判定した場合に、前記他の通信端末にメッセージを録音させるか、電子メールを送信するか、通信を切断するかのいずれを行うかをユーザに質問する質問情報を作成する質問作成部と、
前記質問作成部が作成した質問情報を表示する表示装置と、
前記表示装置が表示した前記質問情報に対するユーザの選択を示す入力情報をユーザから受け付ける入力装置と、
前記入力装置が、電子メールを送信する旨の入力情報を受け付けた場合に電子メールを作成するメール作成部と
を備え、
前記通信部は、前記入力装置が前記他の通信端末にメッセージを録音させる旨の入力情報を受け付けた場合に通信を継続し、前記入力装置が電子メールを送信する旨の入力情報を受け付けた場合に前記メール作成部が作成した電子メールを送信することを特徴とする通信端末。
【請求項２】
メールアドレスを電話番号に対応づけて格納する記憶装置と、
前記入力装置が、電子メールを送信する旨の入力情報を受け付けた場合に、前記電話番号に対応するメールアドレスを検索するアドレス検索部とを更に備え、
前記メール作成部は、前記アドレス検索部が検索した前記メールアドレスを送信先とする電子メールを作成し、前記通信部は前記電子メールを送信することを特徴とする請求項１に記載の通信端末。
【発明の詳細な説明】
【０００１】
【発明の属する技術分野】
本発明は、通信端末に関する。特に本発明は、他の通信端末に発呼と電子メールの送信とを行う通信端末に関する。
【０００２】
【従来の技術】
従来の通話機能を備えた通信端末は、他の通信端末に発呼を行い、応答が無い場合に、発呼先である他の通信端末にメッセージを録音させるか、またはメッセージを録音させずに発呼を終了していた。
【０００３】
【発明が解決しようとする課題】
しかしながら、録音されたメッセージは、はっきりと聞き取れない場合があった。また、録音されたメッセージに代えて電子メールを送信する場合に、ユーザは通信端末の発呼を終了した後に、通信端末が備える電子メール機能を呼び出す入力を行う必要があった。
【０００４】
そこで本発明は、上記の課題を解決することのできる通信端末を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、通話と電子メールの送信とを行う通信端末であって、他の通信端末と信号の送受信及び電子メールの送信を行う通信部と、他の通信端末への発呼に対する応答があるか否かを判定する判定部と、発呼に対する応答が無いと判定部が判定した場合に、他の通信端末にメッセージを録音させるか、電子メールを送信するか、通信を切断するかのいずれを行うかをユーザに質問する質問情報を作成する質問作成部と、質問作成部が作成した質問情報を表示する表示装置と、表示装置が表示した質問情報に対するユーザの選択を示す入力情報をユーザから受け付ける入力装置と、入力装置が、電子メールを送信する旨の入力情報を受け付けた場合に電子メールを作成するメール作成部とを備え、通信部は、入力装置が他の通信端末にメッセージを録音させる旨の入力情報を受け付けた場合に通信を継続し、入力装置が電子メールを送信する旨の入力情報を受け付けた場合にメール作成部が作成した電子メールを送信する。
【０００６】
また、メールアドレスを電話番号に対応づけて格納する記憶装置と、入力装置が、電子メールを送信する旨の入力情報を受け付けた場合に、電話番号に対応するメールアドレスを検索するアドレス検索部とを更に備え、メール作成部は、アドレス検索部が検索したメールアドレスを送信先とする電子メールを作成し、通信部は電子メールを送信してもよい。
【０００７】
なお上記の発明の概要は、本発明の必要な特徴の全てを列挙したものではなく、これらの特徴群のサブコンビネーションも又発明となりうる。
【０００８】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【０００９】
図１は、通信端末１０の機能構成を示す図である。通信端末１０は、通信部１１０と、メール制御部１２０と、入力装置１４０と、表示装置１３０と、メールアドレスを電話番号に対応づけて格納する記憶装置１５０と、振動発生部１６０と、送話器１７０と、加算器１８０とを備える。
【００１０】
通信部１１０は、アンテナ１１２と、アンテナ１１２から受け取った高周波信号を復調する受信回路１１４と、送信すべき信号を高周波信号に変調する送信回路１１８と、回線制御部１１６とを有する。アンテナ１１２は、通信回線を介して他の通信端末から高周波信号を受信し、受信回路１１４に送る。受信回路１１４は、復調した信号を回線制御部１１６に送る。また、アンテナ１１２は、送信回路１１８から高周波信号受け取り、通信回線を介して他の通信端末に送信する。
【００１１】
メール制御部１２０は、判定部１２２と、質問作成部１２４と、メール作成部１２６と、アドレス検索部１２８とを有する。入力装置１４０は、通信端末１０のユーザから発呼を行う旨を示す入力情報を受け付ける。
【００１２】
回線制御部１１６は、通信回線を介して他の通信端末に対して発呼を行う。また、回線制御部１１６は、発呼に対して他の通信端末から受信した、応答状態を示す応答情報を判定部１２２に送る。また、回線制御部１１６は、発呼を行った場合に、発呼を行った通信端末の電話番号を示す番号情報を、アドレス検索部１２８に送る。また、回線制御部１１６は、他の通信端末からの発呼を受信回路１１４から受け取った場合に、その旨を示す通知情報を振動発生部１６０に送る。この場合、振動発生部１６０は、振動を発生する。
【００１３】
判定部１２２は、回線制御部１１６から応答情報を受け取り、発呼に対する応答があるか否かを判定し、判定結果情報を、質問作成部１２４に送る。質問作成部１２４は、判定部１２２から判定結果情報を受け取り、応答が無い旨を示す場合に、他の通信端末にメッセージを録音させるか、電子メールを送信するか、通信を切断するかのいずれを行うかをユーザに質問する質問情報を作成し、表示装置１３０に表示する。
【００１４】
入力装置１４０は、他の通信端末にメッセージを録音させるか、電子メールを送信するか、通信を切断するかのいずれを行うかを示す入力情報を、質問情報に対する応答入力としてユーザから受け付け、メール作成部１２６と回線制御部１１６に送る。
【００１５】
回線制御部１１６は、他の通信端末にメッセージを録音させる旨の入力情報を入力装置１４０から受け取った場合に、通信を継続する。この場合に、送話器１７０は、外部から音声を受け取り、音声信号に変換して加算器１８０を介し、回線制御部１１６に送る。この際、加算器１８０は、送話器１７０が変換した音声信号に、他の音声信号を加算してもよい。回線制御部１１６は、送話器１７０から音声信号を受け取り、送信回路１１８とアンテナ１１２とを介して他の通信端末に送信する。アドレス検索部１２８は、回線制御部１１６から番号情報を受け取る。そして、アドレス検索部１２８は、入力装置１４０から電子メールを送信する旨の入力情報を受け取った場合に、回線制御部１１６から受け取った番号情報に対応するメールアドレスを検索して、メール作成部１２６に送る。
【００１６】
メール作成部１２６は、入力装置１４０から電子メールを送信する旨を示す入力情報を受け取った場合に電子メールを作成する。この電子メールの内容は、例えば入力装置１４０がユーザから受け付けた入力情報に基づく。この電子メールの送信先は、アドレス検索部１２８が検索したメールアドレスでもよいし、入力装置１４０がユーザから入力を受け付けたメールアドレスでもよい。メール作成部１２６は、作成した電子メールを、通信部１１０に送る。通信部１１０は、メール作成部１２６から電子メールを受け取り、通信回線を介して他の通信端末に送信する。
【００１７】
このように、通信端末１０は、発呼を行った通信端末が応答せず、通信端末１０のユーザが発呼に代えて電子メールを送信することを所望する場合におけるユーザの操作を簡略化する事ができる。
【００１８】
図２は、通信端末１０の動作を示すフローチャートである。通信端末１０は、ユーザの入力を待ち受ける（ステップＳ１０２）。次に、回線制御部１１６は、ユーザからの入力を受け付け、入力に従って発呼を行う（ステップＳ１０４）。ここで、判定部１２２が、発呼に対する応答があると判定した場合（ステップＳ１０６：Ｙｅｓ）に、回線制御部１１６は、通信を継続する（ステップＳ１０８）。また、判定部１２２が、発呼に対する応答が無いと判定した場合（ステップＳ１０６：Ｎｏ）に、表示装置１３０は、他の通信端末にメッセージを録音させるか、電子メールを送信するか、通信を切断するかのいずれを選択するかを問う質問を表示する（ステップＳ１１０）。次に、入力装置１４０は、ユーザの選択を示す入力情報を受け付ける（ステップＳ１１２）。他の通信端末にメッセージを録音させる旨の入力情報を、入力装置１４０がユーザから受け取った場合に、回線制御部１１６は、通話を継続する（ステップＳ１１４）。
【００１９】
電子メールを送信する旨の入力情報を、入力装置１４０がユーザから受け取った場合に、アドレス検索部１２８は、記憶装置１５０から発呼を行った通信端末の電話番号に対応するメールアドレスを検索する（ステップＳ１１６）。アドレス検索部１２８が、該当するメールアドレスを検索できた場合（ステップＳ１１６：Ｙｅｓ）に、メール作成部１２６は、アドレス検索部１２８が検索したメールアドレスを、電子メールの送信先に設定する。アドレス検索部１２８が、該当するメールアドレスを検索できなかった場合（ステップＳ１１６：Ｎｏ）に、入力装置１４０は、ユーザから電子メールの送信先に設定するためにメールアドレスの入力を受け付ける（ステップＳ１１８）。次に、メール作成部１２６は、設定されたメールアドレスを送信先とする電子メールを作成する（ステップＳ１２０）。次に、回線制御部１１６は、メール作成部１２６が作成した電子メールを送信する（ステップＳ１２２）。次に、回線制御部１１６は、通信を終了する（ステップＳ１２４）。そして、通信端末１０は、ステップＳ１０２に戻る。
【００２０】
以上の動作によって、通信端末１０は、発呼に対する応答が無い場合に、通信端末１０のユーザに次に行う操作を質問し、質問に対する入力に応じた処理を行う。これによって、ユーザが通信端末１０に対して入力する手間を軽減する事ができる。
【００２１】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００２２】
【発明の効果】
上記説明から明らかなように、本発明によれば、発呼先からの応答が無い場合に、ユーザが通信端末に対して入力する手間を軽減する通信端末を提供することができる。
【図面の簡単な説明】
【図１】通信端末１０の機能構成を示す図である。
【図２】通信端末１０の動作を示すフローチャートである。
【符号の説明】
１０  通信端末
１１０  通信部
１２０  メール制御部
１３０  表示装置
１４０  入力装置
１５０  記憶装置
１６０  振動発生部
１７０  送話器
１８０  加算器
【図１】
0003913605.tif 000002
【図２】
0003913605.tif 000003